(57)【要約】【課題】従来、先の出願と優先権主張出願との対応または基礎出願と外国出願との対応を検査し、検査結果を出力できなかった。【解決手段】特許書類に関する情報である１以上の第一特許情報と、１以上の第一特許情報に基づいて作成された特許書類に関する情報である１以上の第二特許情報を受け付ける受付部と、第一特許情報の一部であり、検査の対象である２以上の第一検査単位を１以上の各第一特許情報から取得する第一検査単位取得部と、第二特許情報の一部であり、検査の対象である２以上の第二検査単位を１以上の各第二特許情報から取得する第二検査単位取得部と、２以上の各第一検査単位と２以上の第二検査単位との対応を検査し、検査結果を取得する検査部と、検査部が取得した検査結果を出力する出力部とを具備する特許情報処理装置により、先の出願と優先権主張出願との対応または基礎出願と外国出願との対応を検査し、検査結果を出力できる。【選択図】図２
2017215893.tif 000002
【特許請求の範囲】
【請求項１】
特許書類に関する情報である１以上の第一特許情報と、当該１以上の第一特許情報に基づいて作成された特許書類に関する情報である第二特許情報を受け付ける受付部と、
前記第一特許情報の一部であり、検査の対象である２以上の第一検査単位を前記１以上の各第一特許情報から取得する第一検査単位取得部と、
前記第二特許情報の一部であり、検査の対象である２以上の第二検査単位を前記１以上の各第二特許情報から取得する第二検査単位取得部と、
前記２以上の各第一検査単位と前記２以上の第二検査単位との対応を検査し、検査結果を取得する検査部と、
前記検査部が取得した検査結果を出力する出力部とを具備する特許情報処理装置。
【請求項２】
前記第二特許情報は、
前記１以上の第一特許情報に対応する１以上の特許の優先権主張出願の特許書類に関する情報である請求項１記載の特許情報処理装置。
【請求項３】
前記第二特許情報は、
２以上の第一特許情報に対応する２以上の特許の優先権主張出願の特許書類に関する情報である請求項２記載の特許情報処理装置。
【請求項４】
前記第一特許情報は、第一言語で記述された特許書類に関する情報であり、
前記第二特許情報は、第二言語で記述された特許書類に関する情報であり、
前記第二特許情報は、
第一特許情報を翻訳した特許書類に関する情報である請求項１記載の特許情報処理装置。
【請求項５】
前記第一特許情報を第二言語に機械翻訳し、第二言語で記述された特許書類に関する情報である第一翻訳情報を取得する機械翻訳部をさらに具備し、
前記第一検査単位取得部は、
前記第一翻訳情報の一部であり、検査の対象である２以上の第一検査単位を前記第一翻訳情報から取得する請求項４記載の特許情報処理装置。
【請求項６】
前記第二特許情報を第一言語に機械翻訳し、第一言語で記述された特許書類に関する情報である第二翻訳情報を取得する機械翻訳部をさらに具備し、
前記第二検査単位取得部は、
前記第二翻訳情報の一部であり、検査の対象である２以上の第二検査単位を前記第二翻訳情報から取得する請求項４記載の特許情報処理装置。
【請求項７】
第一特許情報を構成する部分である第一部分特許情報の示す項目を識別する第一項目識別子と、第二特許情報を構成する部分である第二部分特許情報の示す項目を識別する第二項目識別子との対応を示す情報である１以上の対応情報が格納される対応情報格納部をさらに具備し、
前記検査部は、
第一部分特許情報が有する２以上の各第一検査単位と、前記対応情報により前記第一検査単位に対応付けられる、第二部分特許情報が有する２以上の各第二検査単位との対応を検査し、検査結果を取得する請求項４から請求項６いずれか一項に記載の特許情報処理装置。
【請求項８】
前記第一検査単位および前記第二検査単位は、特許請求の範囲を構成する請求項、または明細書を構成する段落、または図面であり、
前記検査部は、
前記１以上の第一特許情報が有する１以上の各請求項と前記第二特許情報が有する１以上の各請求項との対応を検査し、または前記１以上の第一特許情報が有する１以上の各段落と前記第二特許情報が有する１以上の各段落との対応を検査し、または前記１以上の第一特許情報が有する１以上の各図面と前記第二特許情報が有する１以上の各図面との対応を検査し、検査結果を取得する請求項２から請求項７いずれか一項に記載の特許情報処理装置。
【請求項９】
前記出力部は、
前記１以上の第一特許情報が有する第一検査単位に対して、第一検査単位との類似度が第一閾値以上又はより大きい第二検査単位が存在する第一の結果、第一検査単位との類似度が第二閾値未満又は以下となる第二検査単位しか存在しない第二の結果、および第一検査単位との類似度が第二閾値以上又はより大きく、かつ第一閾値未満又は以下である第二検査単位が存在する第三の検査結果の、３種類の結果のうちの２種類以上の結果を出力し得る請求項１から請求項８いずれか一項に記載の特許情報処理装置。
【請求項１０】
前記出力部は、
前記第二特許情報が有する第二検査単位に対して、第二検査単位との類似度が第一閾値以上又はより大きい第一検査単位が存在する第一の結果、第二検査単位との類似度が第二閾値未満又は以下となる第一検査単位しか存在しない第二の結果、および第二検査単位との類似度が第二閾値以上又はより大きく、かつ第一閾値未満又は以下である第一検査単位が存在する第三の検査結果の、３種類の結果のうちの２種類以上の結果を出力し得る請求項１から請求項９いずれか一項に記載の特許情報処理装置。
【請求項１１】
受付部と、第一検査単位取得部と、第二検査単位取得部と、検査部と、出力部を用いて処理される特許情報処理方法であって、
前記受付部が、
特許書類に関する情報である１以上の第一特許情報と、当該１以上の第一特許情報に基づいて作成された特許書類に関する情報である第二特許情報を受け付ける受付ステップと、
前記第一検査単位取得部が、
前記第一特許情報の一部であり、検査の対象である２以上の第一検査単位を前記１以上の各第一特許情報から取得する第一検査単位取得ステップと、
前記第二検査単位取得部が、
前記第二特許情報の一部であり、検査の対象である２以上の第二検査単位を前記１以上の各第二特許情報から取得する第二検査単位取得ステップと、
前記検査部が、
前記２以上の各第一検査単位と前記２以上の第二検査単位との対応を検査し、検査結果を取得する検査ステップと、
前記出力部が、前記検査ステップが取得した検査結果を出力する出力ステップとを備える特許情報処理方法。
【請求項１２】
コンピュータを、
特許書類に関する情報である１以上の第一特許情報と、当該１以上の第一特許情報に基づいて作成された特許書類に関する情報である第二特許情報を受け付ける受付部と、
前記第一特許情報の一部であり、検査の対象である２以上の第一検査単位を前記１以上の各第一特許情報から取得する第一検査単位取得部と、
前記第二特許情報の一部であり、検査の対象である２以上の第二検査単位を前記１以上の各第二特許情報から取得する第二検査単位取得部と、
前記２以上の各第一検査単位と前記２以上の第二検査単位との対応を検査し、検査結果を取得する検査部と、
前記検査部が取得した検査結果を出力する出力部として機能させるためのプログラム。
【発明の詳細な説明】
【技術分野】
【０００１】
本発明は、２以上の特許書類の情報が対応関係にあるかを検査する特許情報処理装置等に関するものである。
【背景技術】
【０００２】
優先権主張出願や、ある出願を別の言語に翻訳して外国へ出願するとき等の、ある特許書類を基礎として別の特許書類を作成するとき、その基礎となった書類の内容が、作成した特許書類に含まれているかをチェックすることは非常に重要である。もし、基礎となった書類の内容の一部が含まれなかった、もしくは新規に内容を追加してしまった場合、権利範囲が狭くなることや、権利が取得できないことがある。基礎となる書類のページ数が膨大な場合や、基礎となる書類が多数存在する場合、このようなチェックを人手で完全に行うことは困難である。
【０００３】
一方、従来、特許明細書等の作成を支援するシステム等が提案されている（例えば、特許文献１参照）。また、拒絶理由通知書で示された特許明細書等の一部分と類似する単語が多い段落等を表示する装置等が提案されている（例えば、特許文献２参照）。
【先行技術文献】
【特許文献】
【０００４】
【特許文献１】特開２０１２−４８６９６号公報
【特許文献２】特開２０１２−２４２８７９号公報
【発明の概要】
【発明が解決しようとする課題】
【０００５】
しかしながら、従来のシステム等においては、先の出願と優先権主張出願との対応、または基礎出願と外国出願等の対応を検査することができなかった。
【課題を解決するための手段】
【０００６】
本第一の発明の特許情報処理装置は、特許書類に関する情報である１以上の第一特許情報と、１以上の第一特許情報に基づいて作成された特許書類に関する情報である第二特許情報を受け付ける受付部と、第一特許情報の一部であり、検査の対象である２以上の第一検査単位を１以上の各第一特許情報から取得する第一検査単位取得部と、第二特許情報の一部であり、検査の対象である２以上の第二検査単位を１以上の各第二特許情報から取得する第二検査単位取得部と、２以上の各第一検査単位と２以上の第二検査単位との対応を検査し、検査結果を取得する検査部と、検査部が取得した検査結果を出力する出力部とを具備する特許情報処理装置である。
かかる構成により、先の出願と優先権主張出願との対応や、基礎出願と外国出願との対応、外国語書面出願とその翻訳文との対応、先の出願と分割出願との対応、実用新案登録とそれを基にした特許出願との対応、原出願と変更出願との対応、といった、ある知的財産に関する書類とその書類を基礎として作成された別の書類との対応を検査し、検査結果を出力することができる。これにより、対応関係の無い検査単位、すなわち追加や削除されてしまった検査単位や、修正された検査単位を容易に発見することができる。
【０００７】
また、本第二の発明の特許情報処理装置は、第一の発明に対して、第二特許情報は、１以上の第一特許情報に対応する１以上の特許の優先権主張出願の特許書類に関する情報である特許情報処理装置である。
かかる構成により、先の出願と優先権主張出願との対応を検査し、検査結果を出力することができる。
【０００８】
また、本第三の発明の特許情報処理装置は、第二の発明に対して、第二特許情報は、２以上の第一特許情報に対応する２以上の特許の優先権主張出願の特許書類に関する情報である特許情報処理装置である。
かかる構成により、２以上の先の出願と一の優先権主張出願との対応を検査し、検査結果を出力することができる。
【０００９】
また、本第四の発明の特許情報処理装置は、第一の発明に対して、第一特許情報は、第一言語で記述された特許書類に関する情報であり、第二特許情報は、第二言語で記述された特許書類に関する情報であり、第二特許情報は、第一特許情報を翻訳した特許書類に関する情報である特許情報処理装置である。
かかる構成により、基礎出願と外国出願との対応等、異なる言語で記述された書類間の対応を検査し、検査結果を出力することができる。
【００１０】
また、本第五の発明の特許情報処理装置は、第四の発明に対して、第一特許情報を第二言語に機械翻訳し、第二言語で記述された特許書類に関する情報である第一翻訳情報を取得する機械翻訳部をさらに具備し、第一検査単位取得部は、第一翻訳情報の一部であり、検査の対象である２以上の第一検査単位を第一翻訳情報から取得する特許情報処理装置である。
かかる構成により、基礎出願と外国出願との対応等、異なる言語で記述された書類間の対応を適切に検査し、検査結果を出力することができる。
【００１１】
また、本第六の発明の特許情報処理装置は、第四の発明に対して、第二特許情報を第一言語に機械翻訳し、第一言語で記述された特許書類に関する情報である第二翻訳情報を取得する機械翻訳部をさらに具備し、第二検査単位取得部は、第二翻訳情報の一部であり、検査の対象である２以上の第二検査単位を第二翻訳情報から取得する特許情報処理装置である。
かかる構成により、基礎出願と外国出願との対応等、異なる言語で記述された書類間の対応を適切に検査し、検査結果を出力することができる。
【００１２】
また、本第七の発明の特許情報処理装置は、第四から第六いずれか１つの発明に対して、第一特許情報を構成する部分である第一部分特許情報の示す項目を識別する第一項目識別子と、第二特許情報を構成する部分である第二部分特許情報の示す項目を識別する第二項目識別子との対応を示す情報である１以上の対応情報が格納される対応情報格納部をさらに具備し、検査部は、第一部分特許情報が有する２以上の各第一検査単位と、対応情報により第一検査単位に対応付けられる、第二部分特許情報が有する２以上の各第二検査単位との対応を検査し、検査結果を取得する特許情報処理装置である。
かかる構成により、基礎出願と外国出願との対応等、異なる言語で記述された書類間の対応を検査し、検査結果を出力することができる。また、検査範囲を絞り込むことができるので、より高速かつ適切に対応を検査することができる。
【００１３】
また、本第八の発明の特許情報処理装置は、第二から第七いずれか１つの発明に対して、第一検査単位および第二検査単位は、特許請求の範囲を構成する請求項、または明細書を構成する段落、または図面であり、検査部は、１以上の第一特許情報が有する１以上の各請求項と第二特許情報が有する１以上の各請求項との対応を検査し、または１以上の第一特許情報が有する１以上の各段落と第二特許情報が有する１以上の各段落との対応を検査し、または１以上の第一特許情報が有する１以上の各図面と第二特許情報が有する１以上の各図面との対応を検査し、検査結果を取得する特許情報処理装置である。
かかる構成により、特許請求の範囲に含まれる請求項や、明細書の段落、図面の対応を検査し、検査結果を出力することができる。
【００１４】
また、本第九の発明の特許情報処理装置は、第一から第八いずれか１つの発明に対して、出力部は、１以上の第一特許情報が有する第一検査単位に対して、第一検査単位との類似度が第一閾値以上又はより大きい第二検査単位が存在する第一の結果、第一検査単位との類似度が第二閾値未満又は以下となる第二検査単位しか存在しない第二の結果、および第一検査単位との類似度が第二閾値以上又はより大きく、かつ第一閾値未満又は以下である第二検査単位が存在する第三の検査結果の、３種類の結果のうちの２種類以上の結果を出力し得る特許情報処理装置である。
かかる構成により、先の出願と優先権主張出願との対応または基礎出願と外国出願との対応を検査し、適切な検査結果を出力することができる。また、先の出願や基礎出願等の内容が、優先権主張出願や外国出願等に含まれるか否か、もしくは類似しているかを検査することができる。
【００１５】
また、本第十の発明の特許情報処理装置は、第一から第九いずれか１つの発明に対して、出力部は、第二特許情報が有する第二検査単位に対して、第二検査単位との類似度が第一閾値以上又はより大きい第一検査単位が存在する第一の結果、第二検査単位との類似度が第二閾値未満又は以下となる第一検査単位しか存在しない第二の結果、および第二検査単位との類似度が第二閾値以上又はより大きく、かつ第一閾値未満又は以下である第一検査単位が存在する第三の検査結果の、３種類の結果のうちの２種類以上の結果を出力し得る特許情報処理装置である。
かかる構成により、先の出願と優先権主張出願との対応または基礎出願と外国出願との対応を検査し、適切な検査結果を出力することができる。また、優先権主張出願や外国出願等の内容が、先の出願や基礎出願等に含まれるか否か、もしくは類似しているかを検査することができる。
【発明の効果】
【００１６】
本発明による特許情報処理装置によれば、先の出願と優先権主張出願との対応や、基礎出願と外国出願との対応、外国語書面出願とその翻訳文との対応、先の出願と分割出願との対応、実用新案とその実用新案を基にした特許出願との対応、原出願と変更出願との対応、といった、ある知的財産に関する書類とその書類を基礎として作成された別の書類との対応を検査し、検査結果を出力することができる。
【図面の簡単な説明】
【００１７】
【図１】実施の形態１における特許情報処理装置を含むシステムの概念図
【図２】同実施の形態における特許情報処理装置のブロック図
【図３】同実施の形態における特許情報処理装置の動作を示すフローチャート
【図４】同実施の形態における特許情報処理装置の検査単位間の対応関係を決定する処理の例に関する動作を示すフローチャート
【図５】同実施の形態における受付部に受け付けられる特許情報の一例を示す図
【図６】同実施の形態における受付部のインターフェースの一例を示す図
【図７】同実施の形態における各特許情報から取得された検査単位の一例を示す図
【図８】同実施の形態における各検査単位間の類似度計算結果の一例を示す図
【図９】同実施の形態における検査単位間の対応関係の一例を示す図
【図１０】同実施の形態における特許情報処理装置の表示の一例を示す図
【図１１】実施の形態２における特許情報処理装置のブロック図
【図１２】同実施の形態における特許情報処理装置の動作を示すフローチャート
【図１３】同実施の形態における受付部に受け付けられる特許情報の一例を示す図
【図１４】同実施の形態における対応情報の一例を示す図
【図１５】同実施の形態における各特許情報から取得された検査単位の一例を示す図
【図１６】同実施の形態における各検査単位間の類似度計算結果の一例を示す図
【図１７】同実施の形態における検査単位間の対応関係の一例を示す図
【図１８】同実施の形態における特許情報処理装置の表示の一例を示す図
【図１９】上記実施の形態におけるコンピュータシステムの外観の一例を示す図
【図２０】上記実施の形態におけるコンピュータシステムの構成の一例を示す図
【発明を実施するための形態】
【００１８】
以下、特許情報処理装置等の実施形態について図面を参照して説明する。なお、実施の形態において同じ符号を付した構成要素は同様の動作を行うので、再度の説明を省略する場合がある。
【００１９】
（実施の形態１）
本実施の形態において、１以上の特許書類に関する情報である第一特許情報と、当該１以上の第一特許情報に対応する特許書類を基礎として作成された第二の特許の情報である第二特許情報とを受け付け、第一特許情報を構成する単位である第一検査単位と、第二特許情報を構成する単位である第二検査単位を取得し、各第一検査単位と各第二検査単位との対応を検査し、検査結果を出力する特許情報処理装置１について説明する。
【００２０】
図１は、本実施の形態における特許情報処理装置１を含むシステムの概念図である。図１において、特許情報処理装置１と１または２以上のユーザ端末２とは、ネットワーク１００を介して接続されている。ネットワーク１００は、有線、または無線の通信回線であり、例えば、インターネットやイントラネット、ＬＡＮ（Ｌｏｃａｌ  Ａｒｅａ  Ｎｅｔｗｏｒｋ）、公衆電話回線等である。また、ユーザ端末２は、ネットワーク１００に接続可能な端末であれば何でも良い。例えば、ユーザ端末２は、デスクトップパソコン、ノートパソコン、スマートフォン、タブレット、またはＰＤＡ等であっても良い。なお、図１において、特許情報処理装置１とユーザ端末２は同一のハードウェアで実現してもよく、同一のハードウェアで実現する場合、ネットワーク１００を介さなくても良い。つまり、特許情報処理装置１は、スタンドアロンで動作しても良い。
【００２１】
図２は、本実施の形態における特許情報処理装置１のブロック図である。特許情報処理装置１は、受付部１０１、第一検査単位取得部１０２、第二検査単位取得部１０３、検査部１０４、出力部１０５を備える。
【００２２】
受付部１０１は、特許書類に関する情報である１以上の第一特許情報と、当該１以上の第一特許情報に基づいて作成された特許書類に関する情報である第二特許情報を受け付ける。以下、第一特許情報の基となった特許書類を第一特許書類、第二特許情報の基となった特許書類を第二特許書類と呼ぶ。また、第二特許情報が第一特許情報に基づいて作成されたことを、第二特許情報は第一特許情報を継承していると表現する。また、本発明では「特許書類」や「特許情報」といった用語を用いているが、上述したように、本発明は特許以外の知的財産に関する書類にも適用可能である。ただし、以下では、便宜上、特許以外の知的財産をまとめて「特許」と表現する。
【００２３】
また、特許書類とは、特許等の担当組織へ提出される書類のいずれか、もしくはその組み合わせである。例えば、特許の国内出願ならば、願書、特許請求の範囲、明細書、図面、要約書のうちの１つ、もしくはその組み合わせである。すなわち、特許請求の範囲や明細書、図面単独でも良く、それらを結合した書類でも良い。
【００２４】
また、各特許書類に関する特許情報とは、通常、特許書類に記載された書誌事項とテキストと図面である。ここで、書誌事項とは、願書や公報に記載された発明者や出願人、代理人、特許分類（ＩＰＣ、ＦＩ、Ｆターム、ＣＰＣ等）などの特許の内容に関する文以外の情報を表す。また、テキストとは、特許の内容に関する文の集まりであり、特許請求の範囲、明細書（発明の名称を含む）、要約書に含まれる文章情報を表す。また、図面とは、表などを含む画像を表す。特許情報は、これらの情報を基礎として、さらに、テキストの段落の切れ目の場所に関する情報（ＨＴＭＬのタグ等）や、各段落が含まれる見出し（明細書の［発明が解決しようとする課題］など、以下、大括弧は隅付き括弧を意味する）といった書誌事項やテキスト、図面の持つ属性（表や図といった画像内容のタイプや、２値やグレースケール、カラーといった画像ファイルのタイプ等）に関する情報を含んでも良い。以下、上記の書誌事項やテキスト、図面に付随する情報を付加情報と呼ぶ。
【００２５】
また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００２６】
また、受付部１０１では、複数の第一特許情報もしくは第二特許情報が指定された場合、特許書類を区別して受け付ける。例えば、分割出願において、基礎となった特許書類をＡ、当該Ａを分割した特許書類をＢ１とＢ２とした場合、第一特許情報はＡの１つ、第二特許情報はＢ１とＢ２の２つの合計３つの特許情報をそれぞれ区別して受け付ける。
【００２７】
また、受付部１０１は、テンキーやキーボード等の入力手段のデバイスドライバーや、メニュー画面の制御ソフトウェア等で実現され得る。
【００２８】
第一検査単位取得部１０２は、１以上の各第一特許情報の一部であり、検査の対象である２以上の第一検査単位を、受付部１０１が受け付けた１以上の各第一特許情報から取得する。
【００２９】
ここで、第一検査単位とは、第一特許情報の１つの書誌事項又はテキストの一部又は１つの図面である。ここで、テキストの一部とは、通常、単純な部分文字列ではなく、特許請求の範囲や明細書、要約書のタグに含まれるテキストや、段落、文といった意味のある文字列の「まとまり」を表す。また、タグとは、特許明細書における［課題を解決するための手段］や［発明の効果］といった、各書類において直後に文章が含まれる見出しを意味する。さらに、タグに含まれるテキストとは、上記タグから別のタグが現れるまでに出現するテキストである。また、各検査単位は、その１つの書誌事項又はテキストの一部又は１つの図面に対応する前記付加情報を含んでも良い。
【００３０】
また、本実施例では、各請求項のテキストはそれぞれ１つの段落であり、かつ、［請求項ｎ］（ｎは数字）というタグに属するテキストであるとする。すなわち、以降、タグや段落について述べる場合、それは明細書のタグや段落以外に、特許請求の範囲における請求項という意味も含む。
【００３１】
また、通常、１つの特許情報から取得された検査単位の内容は重複しないものとする。例えば、複数段落で構成される検査単位を用いる場合、各検査単位に含まれる段落は重複しない。具体的には、ある特許情報が段落ｐ１，ｐ２，ｐ３で構成されるものとする。このとき、通常、１つ目の検査単位がｐ１とｐ２、２つ目の検査単位がｐ２とｐ３のように、ｐ２が重複して含まれるようなことない。なお、図面の場合は、同一の図面が異なる検査単位となることは許さない。
【００３２】
また、通常、同一の特許情報から取得された検査単位のすべて用いることで、当該特許情報のテキストと図面をすべて被覆できるものとする。例えば、上記と同様に、ある特許情報が段落ｐ１，ｐ２、ｐ３で構成されるものとする。このとき、通常、段落ｐ１で構成される検査単位ａ１と、段落ｐ２で構成される検査単位ａ２という２つの検査単位のみを取得し、段落ｐ３が取得したすべての検査単位のいずれにも含まれないようなことはない。
【００３３】
また、第一検査単位取得部１０２が取得する２以上の検査単位は、特許情報の元となった特許書類での順序を保持しても良い。ここで、「順序を保持」とは、ある特許書類に対応する検査単位からテキストや図面を抽出し、それを並べたとき、前記特許書類のテキストや図面と一致することを意味する。以下、第一検査単位取得部１０２と後述する第二検査単位取得部１０３が取得する２以上の検査単位を、それぞれ第一検査単位列、第二検査単位列と呼ぶ。
【００３４】
また、第一検査単位取得部１０２は、通常、ＭＰＵやメモリ等から実現され得る。第一検査単位取得部１０２の処理手順は、通常、ソフトウェアで実現され、当該ソフトウェアはＲＯＭ等の記録媒体に記録されている。但し、ハードウェア（専用回路）で実現しても良い。また、後述する第二検査単位取得部１０３と検査部１０４、実施の形態２の機械翻訳部１００６と検査部１００４も同様である。
【００３５】
第二検査単位取得部１０３は、第一検査単位取得部１０２と同様の処理を第二特許情報に対して行う。
【００３６】
検査部１０４は、第一検査単位列中の各第一検査単位と、第二検査単位列中の各第二検査単位との対応を検査し、検査結果を取得する。ここで、ある第一検査単位とある第二検査単位が「対応する」とは、前記第二検査単位が前記第一検査単位を基礎に作成されたことを意味する。また、検査とは、対応する検査単位の組を発見することを意味する。検査部１０４は、第一検査単位と第二検査単位の「類似度」に基づいて、前記２つの検査単位が対応するか否かを検査する。「類似度」については後述する。また、検査部１０４の取得する検査結果は、例えば、対応する第一検査単位と第二検査単位の組とその類似度で構成される情報の集合である。検査部１０４の取得する検査結果は、例えば、対応する第一検査単位と第二検査単位の組の集合でも良い。
【００３７】
ここで、検査部１０４は、通常、第一特許情報と第二特許情報のすべての組み合わせについて、それぞれ検査単位間の対応を検査する。例えば、第一検査単位列Ａと第二検査単位列Ｂ１とＢ２の３つの検査単位列を検査する場合、ＡとＢ１、ならびにＡとＢ２の２つの組み合わせについて検査を行う。すなわち、通常、検査部１０４は、第一検査単位と第二検査単位以外の検査単位の組み合わせについては検査しない。例えば、第一検査単位列Ａが［ａ１，ａ２，ａ３］、第二検査単位列Ｂ１が［ｂ１１，ｂ１２］、Ｂ２が［ｂ２１，ｂ２２，ｂ２３］という検査単位列で構成される場合、同一検査単位列内の対応関係（例えば、ａ１とａ３の対応関係等）や、第一もしくは第二検査単位列同士の検査単位の対応関係（例えば、ｂ１２とｂ２３の対応関係等）は検査を行わない。また、種類の異なる検査単位間での検査も行わない。例えば、異なる書誌事項間（例えば発明者と出願人）や、書誌事項とテキスト、書誌事項と図面、テキストと図面等組み合わせについては検査を行わない。
【００３８】
一方、通常、第一検査単位と第二検査単位の組ならば検査に制限はない。すなわち、検査結果全体を見たとき、第一検査単位と第二検査単位の間には１対多や多対１の関係があり得る。例えば、第一特許書類のある１つの段落が２つに分割され第二特許書類に存在している場合、検査単位の対応は１対２となる。逆に、第一特許書類の２つの段落を１つに統合したならば、検査単位の対応は２対１となる。
【００３９】
また、検査部１０４は、たとえ内容がまったく同一であっても、常に類似したテキストや図面をもつ検査単位の組を「対応する」と判定するとは限らない。例えば、検査単位のテキストが属するタグや順序を考慮して、類似した検査単位の組の一部を「対応しない」と判定する場合がある。具体的には、第一特許情報の明細書の［課題を解決するための手段］に対応する検査単位と、第二特許情報の要約書の［解決手段］に対応する検査単位が十分に類似していても、書類が異なるため、対応する検査単位組ではないと判定することがある。対応すると判定しない検査単位の組は設定しても良いし、しなくても良い。
【００４０】
検査部１０４は、はじめに、上記対応すると判定しない検査単位の組以外（すなわち、対応する可能性のある検査単位の組）について、検査単位間の「類似度」を算出し、その後、対応する検査単位組を判断する。ここで、「類似度」は、「一致度」や「関連度」と読んでもよい。本尺度は、検査単位の書誌事項又はテキスト又は図面がどの程度似ているかを表す尺度であり、当該書誌事項又はテキスト又は図面がどの程度似ているか、どの程度一致しているかを表す数ならば、その内容は問わない。例えば、書誌事項を基にした検査単位間の類似度としては、検査単位が完全一致した場合に１、そうでない場合は０となるような類似度を用いても良い。
【００４１】
また、テキストを基とした検査単位間の類似度としては、各検査単位のテキストをベクトル化して、そのベクトルの類似度を用いても良く、各検査単位のテキストを文字や語の系列として扱い、レーベンシュタイン距離（編集距離）をもとにした類似度を用いても良い。ここで、テキストのベクトル化の方法についても、文字や語のｎ−ｇｒａｍ（ｎ≧１）や、テキストが属するタグ等の検査単位が持つ他の属性を次元として、その出現頻度やＴＦ−ＩＤＦを値とするベクトル化する方法等がある。また、ベクトルの類似度についても、コサイン類似度やピアソンの相関係数、偏差パターン類似度等のベクトル間の類似度を算出する方法がある。上記のベクトル化の方法や、ベクトルの類似度、レーベンシュタイン距離については、公知技術であるため説明を省略する。
【００４２】
また、上記の類似度を求める際に、形態素解析や構文解析を適用し、テキストの言語構造を解析しても良い。検査部１０４は、形態素解析や構文解析の結果を用いて、形態素や係り受け、句構造等を利用して類似度を算出する。例えば、形態素解析の結果を用いて、各検査単位のテキストに含まれる形態素の一致率を類似度としても良い。また、例えば、構文解析結果から各検査単位のテキストに対応する句構造木を求め、ツリーカーネルを類似度としても良い。なお、形態素解析や構文解析、ツリーカーネルについては公知技術であるため説明を省略する。
【００４３】
また、テキストを基にした検査単位間の類似度として、独自の類似度を用いても良い。例えば、検査単位間のテキストが完全に一致した場合に１、記号のみが変化している場合に変化しなかった記号の割合（変化しなかった記号の数／テキストに含まれる記号の数）、それ以外の場合に０となるような類似度を用いても良い。
【００４４】
一方、図面を基とした検査単位間の類似度としては、検査単位の画像をそれぞれ、画像のピクセル数×画素値の数（例えば、１００×１００のＲＧＢカラー画像ならば、１００×１００×３＝３００００）次元のベクトルとして、上記テキストの類似度と同様にそのベクトルの類似度を求める方法や、検査対象の図面を、一旦ヒストグラムなどの別の表現に変換し、そのベクトルの類似度を求める方法を用いても良い。また、類似度を求める前に図面のサイズの正規化や平滑化、減色などの前処理を入れても良い。
【００４５】
なお、本実施の形態は、通常、書誌事項とテキスト、図面では対応関係を求めることはないため、書誌事項間の類似度と、テキストの類似度、ならびに図面の類似度で、最大値や最小値、スケール等が一致している必要なない。
【００４６】
また、類似度の算出後の、対応する検査単位の組を決定する方法についても、その方法は問わない。例えば、検査単位組間の類似度の閾値で決定しても良く、各第一もしくは第二検査単位について類似度の高いものから順番に決定しても良く、大局的に対応関係を見る、グローバルアライメントやローカルアライメントを求めるアルゴリズムを用いて決定しても良い。以下、検査部１０４が、（Ａ）類似度の閾値で決定する方法、（Ｂ）類似度の高いものから順番に決定する方法、（Ｃ）グローバルアライメントを求めるアルゴリズムを用いて決定する方法、（Ｄ）ローカルアライメントを求めるアルゴリズムを用いて決定する方法、の４つに分けて説明する。
【００４７】
（Ａ）類似度の閾値で決定する方法
類似度の閾値で決定するとは、類似度が閾値以上のすべての検査単位組を対応すると決定することである。ここで、類似度の閾値はあらかじめ検査部１０４に設定しても良く、画像処理分野における２値化処理で用いられる判別識別法などを用いて自動的に決定しても良い。なお、上記の閾値を自動的に決定する方法については、公知技術のため説明を省略する。
【００４８】
（Ｂ）類似度の高いものから順番に決定する
類似度の高いものから順番に決定するとは、各第一検査単位は、当該第一検査単位との類似度が最も高い第二検査単位とのみ対応すると決定する、もしくは各第二検査単位は、当該第二検査単位との類似度が最も高い第一検査単位とのみ対応すると決定する方法である。方法については、図４のフローチャートで詳細な動作を説明する。
【００４９】
（Ｃ）グローバルアライメントを求めるアルゴリズムを用いて決定する
グローバルアライメントを求めるアルゴリズムを用いて決定するとは、検査単位間の類似度でも説明したレーベンシュタイン距離等を用いることで、大局的に対応関係を決定することである。すなわち、検査単位間の類似度の算出では、検査単位を文字や語の系列として扱い、検査単位組ごとにレーベンシュタイン距離を求め、類似度を算出していたが、対応する検査単位組の決定では、特許情報を検査単位の系列として扱い、各系列間のレーベンシュタイン距離を求め、その距離に対応する検査単位の組を対応関係にあると決定する方法である。
【００５０】
（Ｄ）ローカルアライメントを求めるアルゴリズムを用いて検査する
ローカルアライメントを求めるアルゴリズムを用いて決定するとは、Ｓｍｉｔｈ−Ｗａｔｅｒｍａｎアルゴリズム（Smith, Temple F.; and Waterman, Michael S. "Identification of Common Molecular Subsequences", Journal of Molecular Biology 147, pp.195-197，1981年）や、太田のアルゴリズム（太田貴久, 増山繁, "学生レポート採点支援のためのレポート類似部分発見手法", 信学技報, NLC2005-112, pp. 37-42，2006年）を用いて対応を決定することである。これらのローカルアライメントを求めるアルゴリズムは、レーベンシュタイン距離等のグローバルアライメントを求める方法を局所的に適用する方法である。各ローカルアライメントを求めるアルゴリズムについての詳細は文献を参照されたし。
【００５１】
なお、（Ｃ）グローバルアライメントを求めるアルゴリズムや、（Ｄ）ローカルアライメントを求めるアルゴリズムを用いる際は、各特許情報の検査単位は順序を保持しており、これらのアルゴリズムを適用する前に、類似度が０より大きい値で正規化されているものとする。
【００５２】
また、（Ｂ），（Ｃ），（Ｄ）の方法は、（Ａ）の方法と組み合わせても良い。すなわち、類似度が特定の閾値以下もしくは未満の検査単位間は判定しないとし、それ以外の検査単位について、（Ｂ），（Ｃ），（Ｄ）それぞれの方法で対応関係を決定しても良い。
【００５３】
上記（Ｂ），（Ｃ），（Ｄ）のいずれかの方法を用いることで、類似した表現が多く含まれることが多い請求項の対応関係を正しく対応付けることができる。
【００５４】
出力部１０５は、検査部１０４が取得した検査結果を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引き渡しについては、出力対象が最終的にユーザに提示されるものとする。また、出力部１０５は、対応する第一検査単位と第二検査単位とを認識可能に出力することができれば、その形式や様式、書式などは問わない。なお、後述する実施の形態２の出力部１００５についても出力方法や形式、様式、書式等は同様である。
【００５５】
また、出力部１０５は、通常、視覚的もしくは音声により、第一特許情報と第二特許情報が区別できるように出力する。例えば、視覚的な方法としては、第一特許情報を左側に、第二特許情報を右側に出力する方法がある。また、本発明は「対応関係が存在しない」検査単位に非常に重要な意味があるため、各特許情報を出力する際、対応関係が存在しない検査単位を含めたすべての検査単位を出力することが望ましい。
【００５６】
また、出力部１０５は、検査単位間の類似度を、視覚的に認識可能な方法もしくは音声により出力してもよい。例えば、検査単位が段落や請求項で構成される場合、視覚的な方法としては、各段落の見出し（明細書の［０００１］などの段落番号や、特許請求の範囲の［請求項１］）の横に「（類似度：０．９５）」のような文字列を追加して直接類似度を表記する方法や、前記各段落の文字列の色や透明度を変化させる方法や、前記各段落の見出しの色を変化させる方法がある。ここで、本発明は「類似していない」ことが重要な意味を持つので、類似度の低い場合を目立たせるように出力することが好適である。
【００５７】
また、出力部１０５は、対応関係にある検査単位間の不一致部分を他の部分と区別可能な方法で出力することもできる。例えば、テキストをもとにした検査単位の不一致部分については、当該不一致部分に色を付ける方法や、下線を引く方法、太字にする方法などがある。前記類似度と同様に、不一致部分を目立たせるように出力することが好適である。
【００５８】
また、出力部１０５は、検査結果から検査単位を幾つかのグループに分類し、その分類を出力してもよい。
【００５９】
例えば、出力部１０５は、第一特許情報の各第一検査単位に対して、第一検査単位との類似度が第一閾値以上（又はより大きい）となる第二検査単位が存在する第一の結果、第一検査単位との類似度が第二閾値未満（又は以下）となる第二検査単位しか存在しない第二の結果、および第一検査単位との類似度が第二閾値以上（又はより大きい）であり、かつ第一閾値未満（又は以下）である第二検査単位が存在する第三の検査結果の、３種類の結果のうちの２種類以上を用いて検査単位を分類し、いずれかの分類に属する検査単位を他と区別できるように出力する。ここで、第一閾値と第二閾値は、出力部１０５があらかじめ保持している。また、いずれの分類にも属さない検査単位については、出力してもしなくてもよい。具体的には、例えば、検査単位を前記第二の結果と前記第三の結果に分類し、それぞれの検査単位を色付けして出力する方法がある。この場合、前記第一の結果に属する検査単位については出力してもしなくてもよい。
【００６０】
また、例えば、出力部１０５は、上記の例と同様に、第二特許情報の各第二検査単位に対して、第二検査単位との類似度が第一閾値以上（又はより大きい）となる第一検査単位が存在する第一の結果、第二検査単位との類似度が第二閾値未満（又は以下）となる第一検査単位しか存在しない第二の結果、および第二検査単位との類似度が第二閾値以上（又はより大きい）であり、かつ第一閾値未満（又は以下）である第一検査単位が存在する第三の検査結果の、３種類の結果のうちの２種類以上を用いて検査単位を分類し、いずれかの分類に属する検査単位を他と区別できるように出力することもできる。
【００６１】
なお、上記のように検査単位を幾つかのグループに分割する場合、各結果の類似度の区間は、類似度の値域をすべてカバーし、かつ、各区間が共通部分を持たないように設定することが好適である。例えば、第一閾値より大きい場合に第一の結果、第二閾値以下の場合に第二の結果、第一閾値以下かつ第二閾値より大きい場合に第三の結果となるように各グループを定義しても良い。
【００６２】
ここで、上記のように、閾値を設定して検査結果を幾つかのグループに分類し出力する場合、テキストの検査単位間の類似度と図面の類似度のスケールが一致している方が望ましい。
【００６３】
また、出力部１０５は、検査部１０４が取得した検査結果を読み上げることでも実現できる。
【００６４】
また、出力部１０５は、検査部１０４が取得した検査結果を他のプログラムへ引き渡すことでも実現できる。
【００６５】
また、出力部１０５は、ディスプレイやスピーカー等の出力デバイスを含むと考えても含まないと考えても良い。出力部１０５は、出力デバイスのドライバーソフトまたは、出力デバイスのドライバーソフトと出力デバイス等で実現され得る。
【００６６】
次に、特許情報処理装置１の動作について図３のフローチャートを用いて説明する。なお、所定の情報におけるｉ番目の情報は、「情報［ｉ］」と記載するものとする。図３は、特許情報処理装置１の全体動作を表すフローチャートである。
【００６７】
（ステップＳ２０１）受付部１０１は、継承関係にある２以上の特許情報が入力された場合、Ｓ２０２へ進む。そうでない場合、前記情報が入力されるまで待機する。
【００６８】
（ステップＳ２０２）第一検査単位取得部１０２は、受け付けられたすべての第一特許情報について、ＨＴＭＬのタグや特許公開公報などに存在する隅付き括弧で括られた文字列、インデント（行頭のスペース）をもとに各書類から第一検査単位を取得する。
【００６９】
（ステップＳ２０３）第二検査単位取得部１０３は、ステップＳ２０２と同様の方法で、第二特許情報から第二検査単位を取得する。
【００７０】
（ステップＳ２０４）検査部１０４は、種類が同じ検査単位組のすべてについて、その種類に応じた類似度の算出を行う。
【００７１】
（ステップＳ２０５）検査部１０４は、ステップＳ２０４が求めた検査単位間の類似度をもとに対応関係を取得する。前出の（Ｂ）類似度の高いものから順番に決定する方法については、図４を用いて説明する。
【００７２】
（ステップＳ２０６）出力部１０５は、検査部１０４が取得した検査結果を、出力する形に加工する。なお、ディスプレイなどの画像表示装置に出力する場合の具体的な出力のイメージは後述する。
【００７３】
（ステップＳ２０７）出力部１０５は、ステップＳ２０６で構成した情報を出力する。
【００７４】
また、図３のフローチャートにおいて、ステップＳ２０２とステップＳ２０３の動作の順序は問わない。
【００７５】
図４は、図３のステップＳ２０５の検査単位間の対応関係決定処理の例を示すフローチャートである。
【００７６】
（ステップＳ３０１）検査部１０４は、ステップＳ２０４で類似度を算出したすべての検査単位組をＰに設定する。
【００７７】
（ステップＳ３０２）検査部１０４は、Ｐが空集合の場合、上位処理へリターンする。
【００７８】
（ステップＳ３０３）検査部１０４は、Ｐの中で最も高い類似度を持つ検査単位組をｐに設定する。
【００７９】
（ステップＳ３０４）検査部１０４は、ステップＳ３０３で設定したｐを対応関係にある検査単位組であると決定する。
【００８０】
（ステップＳ３０５）検査部１０４は、ｐと関連する検査単位組をＰから削除し、ステップＳ３０２へ戻る。ここで、ｐと関連する検査単位組とは、ｐを構成する第一検査単位を含む検査単位組、もしくはｐを構成する第二検査単位を含む検査単位組、もしくはｐを構成する第一検査単位組と第二検査単位組のいずれかを含む検査単位組の、いずれか１つの関係にある検査単位組である。ｐを構成する第一検査単位を含む検査単位組を削除した場合、第一検査単位と第二検査単位の関係は多対１となり、ｐを構成する第二検査単位を含む検査単位組を削除した場合、第一検査単位と第二検査単位の関係は１対多となり、ｐを構成する第一検査単位組と第二検査単位組のどちらかを含む検査単位組を削除した場合、第一検査単位と第二検査単位の関係は１対１となる。なお、どの関係にある検査単位組を削除するかは検査部１０４にあらかじめ設定されている。
【００８１】
なお、図５の処理は、図３のステップＳ２０５の処理の一例であり、前述のとおり、（Ａ）類似度の閾値で決定する方法や、（Ｃ）グローバルアライメントを求めるアルゴリズムを用いて検査する方法、（Ｄ）ローカルアライメントを求めるアルゴリズムを用いて検査する方法といった方法もある。
【００８２】
以下、本実施の形態における特許情報処理装置１の具体的な動作について説明する。なお、本具体例において示した各図面の情報は、説明のために便宜上用意されたものであって、実際のデータを示すものではない。また、本具体例において、受付部１０１が受け付ける「特許情報Ａ．ｆｉｌｅ」と「特許情報Ｂ．ｆｉｌｅ」は、図５のように、それぞれ第一特許情報Ａと第二特許情報Ｂを含むファイルであるとする。また、各特許情報は、特許請求の範囲と明細書、図面を含むものとする。
【００８３】
また、本具体例において、第一検査単位取得部１０２と第二検査単位取得部１０３が取得する検査単位はテキストと図面であり、また、テキストの検査単位は、請求項ならびに段落を用いるものとする。また、本具体例において、テキストと図面の間の対応関係や、書類の異なる検査単位間での対応関係の検査は行わない。すなわち、特許請求の範囲の請求項と明細書の段落間の検査は行わない。
【００８４】
また、本具体例において、検査部１０４は、テキストで構成される検査単位間の類似度と図面で構成される検査単位間の類似度として、コサイン類似度等の０から１までの実数で表され１のときに最も類似している類似度を用いる。また、検査部１０４は、上記（Ｂ）の方法（図４の方法）を用いて、第一検査単位と第二検査単位が１対多の関係になる対応関係を検査するものとする。
【００８５】
また、本具体例において、出力部１０５は、ディスプレイ等の画像表示装置への出力を行う。また、出力部１０５は、第一閾値を０．８、第二閾値を０．４と設定し、第一検査単位との類似度が０．８以上となる第二検査単位が存在する結果をＡ、第一検査単位との類似度が０．４未満となる第二検査単位しか存在しない結果をＣ、および第一検査単位との類似度が０．４以上であり、かつ０．８未満である第二検査単位が存在する結果をＢと判定し出力する。
【００８６】
ユーザ端末２のユーザが、図６のようなインターフェースに対して、ポインティングデバイスやキーボード等を操作し、前記２つのファイルを選択した後、「実行」ボタンをクリックしたとする。すると、ネットワーク１００を介して、受付部１０１が「特許情報Ａ．ｆｉｌｅ」と「特許情報Ｂ．ｆｉｌｅ」を受け付ける（ステップＳ２０１）。受付部１０１は、「特許情報Ａ．ｆｉｌｅ」と「特許情報Ｂ．ｆｉｌｅ」をそれぞれ第一検査単位取得部１０２と第二検査単位取得部１０３に送る。
【００８７】
第一検査単位取得部１０２は、「特許情報Ａ．ｆｉｌｅ」から請求項と明細書の段落、図面を抽出し、検査単位を生成し、それを「特許情報Ａ．ｆｉｌｅ」に現れる順序にならべた検査単位列を取得する（ステップＳ２０２）。同様に、第二検査単位取得部１０３は、「特許情報Ｂ．ｆｉｌｅ」から請求項と明細書の段落、図面を抽出し、検査単位を生成し、それを「特許情報Ｂ．ｆｉｌｅ」に現れる順序にならべた検査単位列を取得する（ステップＳ２０３)。これらの結果、図７のような検査単位列が取得される。
【００８８】
検査部１０４は、図７の検査単位列が入力されると各検査単位の対応を検査する（ステップＳ２０４、Ｓ２０５）。検査部１０４は、第一特許情報Ａの請求項と第二特許情報の請求項、第一特許情報Ａの明細書の段落と第二特許情報Ｂの明細書の段落、ならびに第一特許情報Ａの図面と第二特許情報Ｂの図面のすべての組み合わせを類似度算出の対象とし、類似度算出の対象となったすべての検査単位の組に対して、類似度の算出を行う（ステップＳ２０４）。その結果、図８のようなに類似度が求められる。次に、図８の上位、すなわち図８の上から順番に対応関係を決定していく（ステップＳ２０５）。本例の場合、はじめにＲａｎｋ１の第一検査単位ａ１と第二検査単位ｂ１が対応関係にあると決定する（ステップＳ３０３、Ｓ３０４）。そして、第二検査単位ｂ１を含む他の検査単位組であるＲａｎｋ２とＲａｎｋ４を除外し（ステップＳ３０５）、残った検査単位組のなかで最も高い類似度をもつ検査単位組であるＲａｎｋ３の第一検査単位ａ２と第二検査単位ｂ３を対応関係にあると決定する。本処理を繰り返すことで、最終的に図９の検査結果を取得することができる。
【００８９】
出力部１０５は、検査部１０４が取得した検査結果から出力データを構成する（ステップＳ２０６）。例えば、特許情報Ａを左側、特許情報Ｂを右側に表形式で構成した出力の例を図１０に示す。なお、図１０では、特許情報Ａの各検査単位を順番どおりに配置し、前記各検査単位に対応する特許情報Ｂの検査単位を右側に配置している。そして、出力部１０５は構成した出力データを実際に出力する（ステップＳ２０７）。
【００９０】
以上、本実施の形態によれば、先の出願と優先権主張出願との対応や、基礎出願と外国出願との対応、外国語書面出願とその翻訳文との対応、先の出願と分割出願との対応、実用新案登録とそれを基にした特許出願との対応、原出願と変更出願との対応、といった、ある知的財産に関する書類とその書類を基礎として作成された別の書類との対応を検査することができる。また、２以上の先の出願と一の優先権主張出願との対応を検査することができる。また、２以上の特許に関して、書誌事項や、特許請求の範囲に含まれる請求項、明細書の段落、図面の対応を検査することができる。また、先の出願の内容が、優先権主張出願に含まれるか否か、もしくは類似しているかを検査することができる。
【００９１】
また、本実施の形態によれば、類似した表現が多く含まれることが多い請求項の対応関係を正しく検査することができる。また、対応関係が存在する書誌事項又はテキスト又は図面を容易に把握することができ、対応関係が存在しない書誌事項又はテキスト又は図面も容易に把握することができる。
【００９２】
なお、本実施の形態によれば、第一特許情報のもととなった第一特許書類、および第二特許情報のもととなった第二特許書類は、特許以外の書類でも良い。本発明は、第一特許情報の知的財産に関する書類を基礎に、第二特許情報の知的財産権に関する書類が作成されたか否かをチェックする様々な場合で使用可能である。すなわち、第一特許書類と第二特許書類は、特許に関する書類のみならず、実用新案書類、意匠書類、ならびに、それらの翻訳文等を含む。
【００９３】
また、本実施の形態によれば、受付部１０１が受け付ける特許情報は特許書類のすべての情報が含まれていなくとも良い。例えば、特定の出願に関連する書類の特許請求の範囲（すべての請求項）と、明細書の［発明を実施するための形態］のみを受付部１０１へ入力しても良い。この場合、入力された情報のみが検査される。
【００９４】
また、本実施の形態によれば、受付部１０１が受け付ける特許情報は付加情報を含まなくとも良い。この場合、第一検査単位取得部１０２および第二検査単位取得部１０３は、テキストに含まれる隅付き括弧で括られた文字列やインデント（行頭の空白）、句読点を用いて検査単位とするテキストのまとまりを取得する。
【００９５】
なお、本実施の形態によれば、ステップＳ２０４の図面を基にした検査単位の間の類似度を求める際、類似度を計算する前に、ＯＣＲ（光学文字認識）技術を用いて図面に含まれる文字を抜き出し、その文字を除いた画像間の類似度を計算しても良い。第一特許書類と第二特許書類では、図面内の記号のみが異なることが数多くある。そのため、類似度計算の前に図面に含まれる文字をあらかじめ抜き出すことで、前記の場合にも高確率で対応関係を正しく判断することができる。ＯＣＲについては、公知技術であるため説明を省略する。
【００９６】
また、本実施の形態によれば、ステップＳ２０４の検査単位間の類似度を求める際、検査単位を構成する書誌事項又はテキスト又は図面の一部分のみを利用して類似度を求めても良く、また、前記一部分のみを利用した類似度を組み合わせても良い。例えば、テキストの類似度において、検査単位に含まれる記号のみや、名詞のみを用いて類似度を求めても良い。また、図面の類似度において、前記のＯＣＲをかけた場合で、図面中の記号のみを用いて類似度を求めても良い。さらに、図面の類似度において、ＯＣＲで抜き出した文字列の類似度と文字列を抜き出した画像の類似度を併用しても良い。
【００９７】
また、本実施の形態によれば、出力部１０５が、検査結果を第一閾値と第二閾値によりグループ分けして出力する場合、テキストの検査単位間と図面の検査単位間で異なる第一閾値と第二閾値を設定しても良い。
【００９８】
また、本実施の形態によれば、出力部１０５は、出願番号や公開番号などの検査単位に含まれない第一特許情報と第二特許情報に関連した情報を共に出力しても良い。
【００９９】
また、上記実施の形態において、各構成要素は専用のハードウェアにより構成されてもよく、または、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、記憶部や記録媒体にアクセスしながらプログラムを実行してもよい。なお、このことは、本明細書における他の実施の形態においても該当する。なお、上記実施の形態における特許情報処理装置を実現するソフトウェアは、以下のようなプログラムである。つまり、プログラムは、１以上の特許書類に関する情報である第一特許情報と、当該１以上の第一特許情報に基づいて作成された特許書類に関する情報である第二特許情報とを受け付ける受付部、前記第一特許情報の一部であり、検査の対象である２以上の第一検査単位を前記１以上の各第一特許情報から取得する取得する第一検査単位取得部、前記第二特許情報の一部であり、検査の対象である２以上の第二検査単位を前記１以上の各第二特許情報から取得する取得する第二検査単位取得部、前記２以上の各第一検査単位と前記２以上の第二検査単位との対応を検査し、検査結果を取得する検査部検査部が取得した検査結果を出力する出力部として機能させるためのプログラムである。
【０１００】
なお、上記プログラムにおいて、上記プログラムが実現する機能には、ハードウェアでしか実現できない機能は含まれない。例えば、情報を受け付ける受付部や、情報を出力する出力部などにおけるモデムやインターフェースカードなどのハードウェアでしか実現できない機能は、上記プログラムが実現する機能には少なくとも含まれない。
【０１０１】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１０２】
また、このプログラムを実行するコンピュータは、単数であってもよく、複数であってもよい。すなわち、集中処理を行ってもよく、または分散処理を行ってもよい。例えば、第一検査単位取得部と第二検査単位取得部の処理を異なるコンピュータで行っても良い。また、Ａという１つの第一検査単位と、Ｂ１とＢ２という２つの第二検査単位が受付部１０１に入力されたとき、ＡとＢ１の検査とＡとＢ２の検査を別々のコンピュータで行ってもよい。
【０１０３】
図１９は、上記プログラムを実行して、上記実施の形態による特許情報処理装置１を実現するコンピュータの外観の一例を示す模式図である。上記実施の形態は、コンピュータハードウェア及びその上で実行されるコンピュータプログラムによって実現されうる。
【０１０４】
図１９において、コンピュータシステム１８００は、ＣＤ−ＲＯＭドライブ１８０５を含むコンピュータ１８０１と、キーボード１８０２と、マウス１８０３と、モニタ１８０４とを備える。
【０１０５】
図２０は、コンピュータシステム１８００の内部構成を示す図である。図２０において、コンピュータ１８０１は、ＣＤ−ＲＯＭドライブ１８０５に加えて、ＭＰＵ（Ｍｉｃｒｏ  Ｐｒｏｃｅｓｓｉｎｇ  Ｕｎｉｔ）１８１１と、ブートアッププログラム等のプログラムを記憶するためのＲＯＭ１８１２と、ＭＰＵ１８１１に接続され、アプリケーションプログラムの命令を一時的に記憶すると共に、一時記憶空間を提供するＲＡＭ１８１３と、アプリケーションプログラム、システムプログラム、及びデータを記憶するハードディスク１８１４と、ＭＰＵ１８１１、ＲＯＭ１８１２等を相互に接続するバス１８１５とを備える。なお、コンピュータ１８０１は、ＬＡＮやＷＡＮ等への接続を提供する図示しないネットワークカードを含んでいてもよい。
【０１０６】
コンピュータシステム１８００に、上記実施の形態による特許情報処理装置の機能を実行させるプログラムは、ＣＤ−ＲＯＭ１８２１に記憶されて、ＣＤ−ＲＯＭドライブ１８０５に挿入され、ハードディスク１８１４に転送されてもよい。これに代えて、そのプログラムは、図示しないネットワークを介してコンピュータ１８０１に送信され、ハードディスク１８１４に記憶されてもよい。プログラムは実行の際にＲＡＭ１８１３にロードされる。なお、プログラムは、ＣＤ−ＲＯＭ１８２１、またはネットワークから直接、ロードされてもよい。また、ＣＤ−ＲＯＭ１８２１に代えて他の記録媒体（例えば、ＤＶＤ等）を介して、プログラムがコンピュータシステム１８００に読み込まれてもよい。
【０１０７】
プログラムは、コンピュータ１８０１に、上記実施の形態による特許情報処理装置１の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム１８００がどのように動作するのかについては周知であり、詳細な説明は省略する。
【０１０８】
（実施の形態２）
本実施の形態において、第一言語で記述された１以上の特許書類に関する情報である第一特許情報と、第二言語で記述され、当該１以上の第一特許情報を翻訳して作成された１以上の特許書類に関する情報である第二特許情報とを受け付け、第一特許情報を構成する単位である第一検査単位と、第二特許情報を構成する単位である第二検査単位とを用いて、第一検査単位と第二検査単位との対応関係を取得し、出力する特許情報処理装置１０について説明する。
【０１０９】
本実施の形態における特許情報処理装置１０を含むシステムは、図１と同様である。すなわち、図１における特許情報処理装置１を、特許情報処理装置１０に置き換えたシステムである。
【０１１０】
図１１は、本実施の形態における特許情報処理装置１０のブロック図である。特許情報処理装置１０は、受付部１０１、機械翻訳部１００６、第一検査単位取得部１００２、第二検査単位取得部１００３、対応情報格納部１００７、検査部１００４、出力部１００５を備える。
【０１１１】
図１１において、受付部１０１は、図２の受付部１０１と同様の動作を行うので、説明を省略する。
【０１１２】
機械翻訳部１００６は、第一言語で記述された第一特許情報と、第二言語で記述された第二特許情報のテキストを、機械翻訳技術を用いて、いずれかの言語に統一する。すなわち、第一言語で記述された第一特許情報を第二言語へ翻訳する、もしくは第二言語で記述された第二特許情報を第一言語へ翻訳する。また、３以上の言語が受け付けられた場合、通常、直接比較する特許情報に含まれるいずれかの言語に翻訳する。例えば、第一特許情報Ａがフランス語、第二特許情報Ｂ１が英語、第二特許情報Ｂ２が日本語である場合、ＡとＢ１を比較する場合は、フランス語か英語のいずれか、ＡとＢ２を比較する場合は、フランス語か日本語のいずれかに翻訳する。なお、機械翻訳技術については周知のため、説明を省略する。
【０１１３】
第一検査単位取得部１００２は、実施の形態１の第一検査単位取得部１０２と同様に、１以上の各第一特許情報の一部であり、検査の対象である２以上の第一検査単位を、受付部１０１が受け付けた１以上の各第一特許情報から取得する。ここで、第一特許情報が機械翻訳部１００６により機械翻訳されていた場合、文字列を含む各検査単位は、その文字列を翻訳したものへ置き換える。
【０１１４】
第二検査単位取得部１００３は、第一検査単位取得部１００２と同様に、各第二特許情報から第二検査単位を取得する。
【０１１５】
対応情報格納部１００７は、第一特許情報を構成する部分である第一部分特許情報の示す項目を識別する第一項目識別子と、第二特許情報を構成する部分である第二部分特許情報の示す項目を識別する第二項目識別子との対応を示す１以上の情報である対応情報を格納する。
【０１１６】
ここで、第一部分特許情報の示す項目を識別する第一項目識別子とは、第一特許情報の記述言語におけるタグを意味する。タグとは、第一言語が日本語ならば、特許明細書における［課題を解決するための手段］や［発明の効果］といった、各書類において直後に文章が含まれる見出しを意味する。同様に、第二部分特許情報の示す項目を識別する第二項目識別子とは、第二特許情報の記述言語におけるタグを意味する。第二言語が英語ならば、｛Ｓｏｌｕｔｉｏｎ  ｔｏ  Ｐｒｏｂｌｅｍ｝や、｛Ａｄｖａｎｔａｇｅｏｕｓ  Ｅｆｆｅｃｔｓ  ｏｆ  Ｉｎｖｅｎｔｉｏｎ｝がタグである。また、第一項目識別子と第二項目識別子との対応を示す情報とは、同一もしくは類似した意味をもつタグの集合である。例えば、先の例の場合、［課題を解決するための手段］と｛Ｓｏｌｕｔｉｏｎ  ｔｏ  Ｐｒｏｂｌｅｍ｝、［発明の効果］と｛Ａｄｖａｎｔａｇｅｏｕｓ  Ｅｆｆｅｃｔｓ  ｏｆ  Ｉｎｖｅｎｔｉｏｎ｝が対応情報となる。なお、対応情報格納部１００７に格納される対応情報は、あらかじめ格納されているものとする。
【０１１７】
ここで、第一項目識別子と第二項目識別子は、単純な文字列でも良く、正規表現などのパターンでも良い。例えば、第一項目識別子として、「請求項￥ｄ＋」という正規表現を格納しても良い（「￥ｄ＋」は０から９までの数字の１回以上の繰り返しを意味する）。
【０１１８】
また、対応情報格納部１００７は、不揮発性の記録媒体が好適であるが、揮発性の記録媒体でも実現可能である。
【０１１９】
検査部１００４は、対応情報格納部１００７に格納された対応情報が対応を示す第一部分特許情報が有する２以上の各第一検査単位と、前記対応情報が対応を示す第二部分特許情報が有する２以上のいずれかの第二検査単位との対応を検査し、検査結果を取得する。すなわち、検査部１００４は、対応情報格納部１００７の対応情報を参照し、実施の形態１の検査部１０４（ステップＳ２０４）において、タグが異なるものは類似度算出の対象にしないとした場合と同様に、対応情報に基づいて、対応しない検査単位については類似度算出を行わない。
【０１２０】
ここで、対応情報格納部１００７に格納されている対応情報のいずれにも当てはまらない第一項目識別子に対応する第一検査単位（例えば、独自のタグに属する段落）は、すべての第二検査単位に対して類似度算出を行っても良いし（いずれの第二検査単位とも対応しない）、行わなくても良い（すべての第二検査単位と対応する可能性がある）。また、同様に、対応情報格納部１００７に格納されている対応情報のいずれにも当てはまらない第二項目識別子に対応する第二検査単位は、すべての第一検査単位に対して類似度算出を行っても良いし、行わなくても良い。
【０１２１】
出力部１００５は、実施の形態１の出力部１０５と同様に、検査部１０４が取得した検査結果を出力する。なお、出力部１００５は、翻訳したテキストの代わりに原文を出力しても良く、翻訳したテキストと原文の両方を出力しても良い。
【０１２２】
次に、特許情報処理装置１０の動作について図１２のフローチャートを用いて説明する。図１２は、特許情報処理装置１０の全体動作を表すフローチャートである。
【０１２３】
（ステップＳ１１０１）受付部１０１は、継承関係にある２以上の特許情報が入力された場合、Ｓ１１０８へ進む。そうでない場合、前記情報が入力されるまで待機する。
【０１２４】
（ステップＳ１１０８）機械翻訳部１００６は、第一特許情報もしくは第二特許情報の言語が統一されるようにいずれかのテキストを機械翻訳する。
【０１２５】
（ステップＳ１１０２）第一検査単位取得部１００２は、受け付けられたすべての第一特許情報について、ＨＴＭＬのタグや特許公開公報などに存在する隅付き括弧で括られた文字列、インデント（行頭のスペース）をもとに各書類から第一検査単位を取得する。この際、第一特許情報がステップＳ１１０８により機械翻訳されていた場合、検査単位に含まれる文字列を翻訳後のものと置き換える。
【０１２６】
（ステップＳ１１０３）第二検査単位取得部１００３は、ステップＳ１１０２と同様の方法で、第二特許情報から第二検査単位を取得する。
【０１２７】
（ステップＳ１１０４）検査部１００４は、対応情報格納部１００７を参照し、対応する可能性のある第一検査単位と第二検査単位の組について類似度の算出を行う。
【０１２８】
（ステップＳ１１０５）検査部１００４は、実施の形態１のステップＳ２０５と同様に、類似度をもとに対応関係を取得する。
【０１２９】
（ステップＳ１１０６）出力部１００５は、検査部１００４が取得した検査結果を、出力する形に加工する。なお、ディスプレイなどの画像表示装置に出力する場合の具体的な出力のイメージは後述する。
【０１３０】
（ステップＳ１１０７）出力部１０５は、ステップＳ１１０６で構成した情報を出力する。
【０１３１】
また、図１２のフローチャートにおいて、ステップＳ１１０２とステップＳ１１０３の動作の順序は問わない。
【０１３２】
以下、本実施の形態における特許情報処理装置１０の具体的な動作について説明する。なお、本具体例において示した各図面の情報は、説明のために便宜上用意されたものであって、実際のデータを示すものではない。また、本具体例において、受付部１０１が受け付ける「特許情報Ａ．ｆｉｌｅ」と「特許情報Ｃ．ｆｉｌｅ」は、図１３のように、それぞれ第一特許情報Ａと第二特許情報Ｃを含むファイルであるとする。また、各特許情報は、特許請求の範囲と明細書、図面を含むものとする。なお、第一特許情報Ａは図５のものと同一である。
【０１３３】
また、本具体例において、対応情報格納部１００７に格納されている対応情報は図１４のようであるとする。図１４において、「（Ｔｅｃｈｎｉｃａｌ  ）？」は、「Ｔｅｃｈｎｉｃａｌ  」があってもなくても良いことを意味し、「￥ｄ＋」は、１回以上の数字の繰り返しを意味する。
【０１３４】
また、本具体例において、第一検査単位取得部１００２と第二検査単位取得部１００３が取得するテキストの検査単位は、請求項ならびに段落を用いるものとする。
【０１３５】
また、本具体例において、検査部１００４は、テキストで構成される検査単位間の類似度と図面で構成される検査単位間の類似度として、コサイン類似度等の０から１までの実数で表され１のときに最も類似している類似度を用いる。また、検査部１００４は、上記（Ｂ）の方法（図４の方法）を用いて、第一検査単位と第二検査単位が１対１の関係になる対応関係を検査するものとする。
【０１３６】
また、本具体例において、出力部１０５は、ディスプレイ等の画像表示装置への出力を行う。また、出力部１０５は、第一閾値を０．８、第二閾値を０．６と設定し、第一検査単位との類似度が０．８以上となる第二検査単位が存在する結果をＡ、第一検査単位との類似度が０．６未満となる第二検査単位しか存在しない結果をＣ、および第一検査単位との類似度が０．６以上であり、かつ０．８未満である第二検査単位が存在する結果をＢと判定し出力する。
【０１３７】
ユーザ端末２のユーザが、実施の形態１の具体例と同様に、ファイルを指定することで、受付部１０１が「特許情報Ａ．ｆｉｌｅ」と「特許情報Ｃ．ｆｉｌｅ」を受け付ける（ステップＳ１１０１）。
【０１３８】
機械翻訳部１００６は、特許情報Ｃに対して英日翻訳を行う。
【０１３９】
第一検査単位取得部１００２は、「特許情報Ａ．ｆｉｌｅ」から請求項と明細書の段落、図面を抽出し、検査単位を生成し、それを「特許情報Ａ．ｆｉｌｅ」に現れる順序にならべた検査単位列を取得する（ステップＳ１１０２）。
【０１４０】
第二検査単位取得部１００３は、「特許情報Ｃ．ｆｉｌｅ」から請求項と明細書の段落、図面を抽出し、検査単位を生成し、さらに、各検査単位に含まれる文字列を翻訳したものと置き換え、それを「特許情報Ｂ．ｆｉｌｅ」に現れる順序にならべた検査単位列を取得する（ステップＳ１１０３)。ステップＳ１１０２とステップＳ１１０３の結果、図１４のような検査単位列が取得される。
【０１４１】
検査部１００４は、図７の検査単位列が入力されると各検査単位の対応を検査する（ステップＳ１１０４、Ｓ１１０５）。
【０１４２】
検査部１００４は、はじめに、対応情報格納部１００７が保持する図１４の対応情報を参照し、検査単位組の類似度を算出する。図１４で示した範囲では、（ａ１，ｃ１），（ａ１，ｃ２），（ａ１，ｃ３），（ａ２，ｃ１），（ａ２，ｃ２），（ａ２，ｃ３），（ａ３，ｃ１），（ａ３，ｃ２），（ａ３，ｃ３），（ａ４，ｃ４），（ａｉ，ａｋ）の合計１１組の類似度を算出する。この結果、図１６のような類似度が算出される。
【０１４３】
次に、検査部１００４は、図１６の結果から検査単位の対応を検査する。図１６の場合、はじめに、Ｒａｎｋ  １の第一検査単位ａ１と第二検査単位ｃ１が対応関係にあると決定する（ステップＳ３０３、Ｓ３０４）。そして、第一検査単位ａ１、もしくは第二検査単位ｃ１を含むすべての検査単位組を取り除く。この場合、Ｒａｎｋ  ｘ＋１，ｘ＋２，ｘ＋３，ｘ＋４を取り除く（ステップＳ３０５）。次に、残った検査単位組のなかで最も高い類似度をもつ検査単位組であるＲａｎｋ２の第一検査単位ａ３と第二検査単位ｃ３を対応関係にあると決定する。以上の処理を繰り返すことで、最終的に図１７の検査結果を取得することができる。
【０１４４】
出力部１００５は、検査部１００４が取得した検査結果から出力データを構成する（ステップＳ１１０６）。例えば、実施の形態１の場合と同様の方法で出力を構成した例を図１８に示す。なお、図１８では、第二特許情報について、元のテキストの他に機械翻訳の結果も同時に出力している。そして、出力部１００５は構成した出力データを実際に出力する（ステップＳ１１０７）。
【０１４５】
以上、本実施の形態によれば、基礎出願と外国出願との対応を検査し、検査結果を出力できる。また、本実施の形態によれば、基礎出願と外国出願との対応を検査し、適切な検査結果を出力できる。
【０１４６】
なお、本実施の形態において、機械翻訳部１００６を備える場合について説明したが、特許情報処理装置１０は、機械翻訳部１００６を備えなくても良い。機械翻訳部１００６がない場合、検査部１００４は、個別言語への依存度が低い類似度算出方法、例えば、実施の形態１でも述べた、テキスト中の記号のみを用いた類似度算出方法を用いることで、検査単位間の対応関係を検査できる。
【０１４７】
また、機械翻訳部１００６は、テキストに加え、図面内に存在する文字列も翻訳しても良い。この場合、ＯＣＲ（光学文字認識）技術を用いて図面に含まれる文字を抜き出して翻訳する。翻訳した文字列についても、翻訳後の文字列を画像化し、図面の元の文字列が存在した場所に再配置しても良いし、図面間の類似度の算出に用いても良い。
【０１４８】
また、機械翻訳部１００６は、テキスト全体を機械翻訳するのではなく、テキストの一部分のみを翻訳しても良い。例えば、テキスト中の名詞のみを翻訳しても良い。この場合、機械翻訳部１００６を備えない場合と同様に、検査部１００６は、個別言語への依存度が低い類似度算出方法を用いる。
【０１４９】
なお、本実施の形態において、対応情報格納部１００７を備える場合について説明したが、特許情報処理装置１０は、対応情報格納部１００７を備えなくても良い。対応情報格納部１００７がない場合、検査部１００４は、種類が同一のすべての検査単位組について類似度を算出し、検査を行う。
【０１５０】
また、上記実施の形態は、実施の形態１と同様に、各構成要素は専用のハードウェアにより構成されても良く、または、ソフトウェアにより実現可能な構成要素については、プログラムを実行することによって実現されても良い。なお、上記実施の形態における特許情報処理装置を実現するソフトウェアは、以下のようなプログラムである。
【０１５１】
また、上記実施の形態における特許情報処理装置１０を実現するソフトウェアは、以下のようなプログラムである。つまり、コンピュータがアクセス可能な記録媒体は、第一特許情報を構成する部分である第一部分特許情報の示す項目を識別する第一項目識別子と、第二特許情報を構成する部分である第二部分特許情報の示す項目を識別する第二項目識別子との対応を示す情報である１以上の対応情報が格納される対応情報格納部を具備し、コンピュータを、１以上の第一言語で記述された特許書類に関する情報である第一特許情報と、当該１以上の第一特許情報に基づいて作成され第二言語で記述された特許書類に関する情報である第二特許情報とを受け付ける受付部、前記第二特許情報を第一言語に機械翻訳し、第一言語で記述された特許書類に関する情報である第二翻訳情報を取得する、もしくは前記第二特許情報を第一言語に機械翻訳し、第一言語で記述された特許書類に関する情報である第二翻訳情報を取得する機械翻訳部、前記第一特許情報もしくは第一翻訳情報の一部であり、検査の対象である２以上の第一検査単位を前記１以上の各第一特許情報もしくは第一翻訳情報から取得する第一検査単位取得部、前記第二特許情報もしくは第二翻訳情報の一部であり、検査の対象である２以上の第二検査単位を前記１以上の各第二特許情報もしくは第二翻訳情報から取得する取得する第二検査単位取得部、前記２以上の各第一検査単位と前記２以上の第二検査単位との対応を検査し、検査結果を取得する検査部検査部が取得した検査結果を出力する出力部として機能させるためのプログラムである。
【０１５２】
また、上記プログラムを実行するコンピュータは、単数であってもよく、複数であってもよい。すなわち、集中処理を行ってもよく、または分散処理を行ってもよい。例えば、機械翻訳部１００６の処理を異なるコンピュータで行っても良い。
【０１５３】
また、対応情報格納部１００７はネットワーク等で繋がった別のコンピュータに保存されていても良い。
【０１５４】
また、本発明は、以上の実施の形態に限定されることなく、種々の変更が可能であり、それらも本発明の範囲内に包含されるものであることは言うまでもない。
【産業上の利用可能性】
【０１５５】
以上のように、本発明にかかる特許情報処理装置は、先の出願と優先権主張出願との対応または基礎出願と外国出願との対応を検査し、検査結果を出力できるという効果を有し、特許情報処理装置等として有用である。
【符号の説明】
【０１５６】
１            特許情報処理装置
１０          特許情報処理装置
１０１        受付部
１０２        第一検査単位取得部
１０３        第二検査単位取得部
１０４        検査部
１０５        出力部
１００２      第一検査単位取得部
１００３      第二検査単位取得部
１００４      検査部
１００５      出力部
１００６      機械翻訳部
１００７      対応情報格納部
【図１】
2017215893.tif 000003
【図２】
2017215893.tif 000004
【図３】
2017215893.tif 000005
【図４】
2017215893.tif 000006
【図５】
2017215893.tif 000007
【図６】
2017215893.tif 000008
【図７】
2017215893.tif 000009
【図８】
2017215893.tif 000010
【図９】
2017215893.tif 000011
【図１０】
2017215893.tif 000012
【図１１】
2017215893.tif 000013
【図１２】
2017215893.tif 000014
【図１３】
2017215893.tif 000015
【図１４】
2017215893.tif 000016
【図１５】
2017215893.tif 000017
【図１６】
2017215893.tif 000018
【図１７】
2017215893.tif 000019
【図１８】
2017215893.tif 000020
【図１９】
2017215893.tif 000021
【図２０】
2017215893.tif 000022